(57)【要約】【課題】本発明は、ポリウレタンなどでなるフォームに、抗菌剤を含めた化粧用の抗菌パフに関するものであって、もっと詳しくは、従来のパフの短所であるパフの吸引による化粧材料の過度な消費を低下し、微生物の増殖を抑制することができる抗菌物質を含む抗菌パフに関する。【解決手段】化粧材料と接触して前記化粧材料を吸引し、抗菌成分を含有する下層と、前記下層の上部に設けられ、前記化粧材料の通過を遮断する防水膜構造のバリアー層と、前記バリアー層の上部に設けられる第１接着層と、前記第１接着層の上部に設けられる中間層と、前記中間層の上部に設けられる第２接着層と、前記第２接着層の上部に設けられる上層を含む、化粧用の抗菌パフ。【選択図】図２
2018015566.tif 000002
【特許請求の範囲】
【請求項１】
化粧材料と接触して前記化粧材料を吸引し、抗菌成分を含有する下層と、
前記下層の上部に設けられ、前記化粧材料の通過を遮断する防水膜構造のバリアー層と、
前記バリアー層の上部に設けられる第１接着層と、
前記第１接着層の上部に設けられる中間層と、
前記中間層の上部に設けられる第２接着層と、
前記第２接着層の上部に設けられる上層を含む、化粧用の抗菌パフ。
【請求項２】
前記バリアー層は防水接着剤を利用して形成されることを特徴とする、請求項１に記載の化粧用の抗菌パフ。
【請求項３】
前記抗菌成分はシルバーを１〜３質量％含有するシルバーガラスであり、前記下層に０．１〜３質量％含有されることを特徴とする、請求項１に記載の化粧用の抗菌パフ。
【請求項４】
前記下層の厚さは０．３〜３ｍｍであり、前記バリアー層の厚さは０．０１〜０．１ｍｍであることを特徴とする、請求項１に記載の化粧用の抗菌パフ。
【発明の詳細な説明】
【技術分野】
【０００１】
本発明は、化粧用の抗菌パフに関し、もっと詳しくは、液状の化粧用パフの短所である化粧材料の過量吸引による浪費を改善し、微生物の繁殖を抑制することができるように開発した抗菌剤が含有されたウレタン(PU)フォームなどでなる化粧用の抗菌パフに関する。
【背景技術】
【０００２】
一般的に、メーキャップの液状化粧材料は、ナチュラルベージュ色などで顔を化粧するベースメーキャップ化粧品であって、内容物である化粧材料は主に溶液(液状物)で製造されている。
【０００３】
前記のようなメーキャップの液状化粧材料は、過去には手を利用して粉を取って、顔部位に適用したが、化粧の後に手をティッシュでふくとか、洗うなどの不便さがあった。
【０００４】
これを解消するために、手を使用しないようにパフが開発された。従来のパフとしては、NBR(Nitrile butadiene rubber)、SBR(Styrene butadiene rubber)、天然ゴム(Natural rubber)、フロッキング(Flocking)、ルビーセル(Rubycell、湿式ウレタン)、コットンベロア(Cotton velour)及びPVA(Polyvinyl alcohol)などの多孔性材質が使用されている。
【０００５】
パフの用途は、化粧品容器からパフを利用して液状化粧材料の適当量を取って、顔に塗ることができるようになっている。そのため、使用の便利さは有するが、パフが過剰量の化粧材料を吸引することによって、化粧材料の浪費を発生して化粧品の使用期間が短くなり、化粧品をよく買わなければ成らないという経済的な負担と不便さがある。
【０００６】
また、パフは化粧材料を顔に塗るとき、皮膚と直接接触される。このため、微生物に汚染されたパフは、容器内の化粧材料と再び接触することによって、化粧材料が微生物に汚染されやすい。顔は、皮膚で分泌される皮脂と汗、大気中のほこり、微生物に汚染された手で顔を触れる行為などによって、微生物が繁殖する良い条件を提供することになる。このような顔にパフを使用して化粧材料を付けて塗ることによって、パフで微生物が転移されることができる。また、パフも化粧材料により湿度と養分が供給され、容器の保温性のためパフに微生物が繁殖することに良い環境が形成される。化粧材料は、水を含む液状であるので、温度、水分、栄養素の条件に合う化粧容器や、化粧容器を保管する密閉されたハンドバック、化粧品が置かれている化粧台が位置した暖かい室内空間などは、保温性のため微生物が繁殖することに良い温度環境を形成することになる。微生物で汚染されたパフだけでなく、容器内の汚染された化粧材料は、微生物による皮膚トラブルの原因を提供する。
【０００７】
このように、液状の化粧材料を顔に塗るために使用する従来のパフは、化粧材料を過量吸引することによって浪費を誘発し、顔の皮膚と直接的に接触することによって、パフ自体だけでなく化粧材料も微生物に汚染させる。そのため、化粧材料の浪費を減らすことができ、微生物の繁殖を抑制することができる化粧用の抗菌パフの開発が必要である。
【先行技術文献】
【特許文献】
【０００８】
【特許文献１】韓国実用新案公開第20-2009-0005978号
【発明の概要】
【発明が解決しようとする課題】
【０００９】
本発明の目的は、従来のパフにおいて、化粧材料が皮膚と接触する下層を通過して中間層まで浸透することによって誘発される化粧材料の浪費を防止するために、化粧材料が中間層を通過しないように防水膜構造のバリアー層(Barrier Layer)を構成し、下層に化粧材料が適当量塗ることができるように構成することによって、化粧材料の浪費を改善することができ、微生物の繁殖を抑制することができるように、シルバーガラスの抗菌成分をパフの下層に含めた化粧用の抗菌パフを提供することである。
【課題を解決するための手段】
【００１０】
前記のような本発明の目的を達成するために、本発明による化粧用の抗菌パフは化粧材料と接触して、前記化粧材料を吸引し、抗菌成分を含有する下層と、前記下層の上部に設けられ、前記化粧材料の通過を遮断する防水膜構造のバリアー層と、前記バリアー層の上部に設けられる第１接着層と、前記第１接着層の上部に設けられる中間層と、前記中間層の上部に設けられる第２接着層と、前記第２接着層の上部に設けられる上層を含むことを特徴とする。
【００１１】
本発明による化粧用の抗菌パフにおいて、前記バリアー層は防水膜を形成するように防水接着剤を利用して形成されることを特徴とする。
【００１２】
本発明による化粧用の抗菌パフにおいて、前記抗菌成分はシルバーを１〜３質量％含有するシルバーガラスであり、前記下層に０．１〜３質量％含有されることを特徴とする。
【００１３】
本発明による化粧用の抗菌パフにおいて、前記下層の厚さは０．３〜３ｍｍであり、前記バリアー層の厚さは０．０１〜０．１ｍｍであることを特徴とする。
【発明の効果】
【００１４】
本発明によるパフは、化粧材料が下層を通過した後、中間層に通過しないようにバリアー層を形成することによって、化粧材料が中間層に吸入されないので、化粧材料の浪費を改善することができ、抗菌成分を含んで微生物の繁殖を抑制することができる。すなわち、本発明は化粧材料が吸引されるボリュームを最小化して化粧材料の浪費を改善し、抗菌力を有する化粧用の抗菌パフを提供する。
【図面の簡単な説明】
【００１５】
【図１】本発明による化粧用パフの切開斜視図。
【図２】本発明による化粧用パフの断面図。
【図３】本発明による化粧用パフの分解斜視図。
【図４】無処理パフ及び抗菌パフの電子顕微鏡の写真である。
【図５】大腸菌に対して抗菌処理及び無処理サンプルの抗菌試験結果を示す写真である。
【発明を実施するための形態】
【００１６】
以下、添付の図面を参照して本発明を詳細に説明する。
【００１７】
図１は本発明による化粧用パフの切開斜視図であり、図２は本発明による化粧用パフの断面図であり、図３は本発明による化粧用パフの分解斜視図であって、本発明による化粧用パフは下から順次に下層１、バリアー層２、第１接着層３、中間層４、第２接着層５、上層６から構成ることができる。
【００１８】
前記下層１は、化粧用包装材に具備された化粧用内容物と接触するようになっている。前記バリアー層２は防水膜を形成して化粧材料が中間層４に吸引されないようにする。前記第１接着層３は、前記中間層４を前記バリアー層２の上部に付着できるように、前記バリアー層２の上部に設けられている。前記中間層４は、前記第１接着層３によって、前記バリアー層２の上部に付着するようになっている。前記第２接着層５は、上層６を前記中間層４に付着させることができるように前記中間層４の上部に具備される。前記上層６は、前記中間層４の上部に前記第２接着層５により付着される。
【００１９】
前記化粧材料は、液状の化粧材料及びパウダー状の化粧材料である。前記化粧材料は、前記液状の化粧材料及びパウダー状の化粧材料だけでなく、ゲル状、ペースト状及びケーキ状の化粧材料のような異なる種類の化粧材料にも適用することができる。
【００２０】
前記下層１は、化粧用内容物を吸引できるように網構造のオープンセル(open cell)構造のポリウレタンなどで構成されているので、化粧用内容物の付け性と塗られ性を向上させることができる。前記下層１の厚さは０．３〜３ｍｍであることができ、このような厚さの範囲で化粧材料が吸引されるボリュームを最小化することができる。
【００２１】
前記下層１は、前記化粧材料が固まることがなく、満遍なく密着感を有するように塗付できるように、オープンセル構造である多孔性材質でなることができる。前記多孔性材質とは、NBR(Nitrile Butadiene Rubber)、SBR(Styrene butadiene rubber)、天然ゴム(Natural rubber)、フロッキング(Flocking)、ルビーセル(Rubycell、湿式ウレタン)、コットンベロア(Cotton velour)、PVA(Polyvinyl alcohol)、ウレタンフォーム(PU)のなかで選択されるいずれか一つ以上を使用することができる。しかし、前記下層１は、前述した多孔性材質に限定されず、すなわち、前記下層１は、前記化粧材料を固めることなく浸すことができる他の材質の構成であれば、多様な変形実施形態で適用することができる。
【００２２】
皮膚に接触するパフの下層１は、ポリウレタンなどの発砲シートに抗菌成分を含有させることによって、パフ及び前記パフが吸引した化粧材料での微生物の繁殖を抑制することができる。必要によって下層１以外の他の層、例えば、バリアー層２、第１接着層３、中間層４、第２接着層５、上層６のうち、少なくとも一層以上も抗菌成分を含むことができる。
【００２３】
抗菌成分は、シルバー（銀）を１〜３質量％含有するシルバーガラス(silver glass、CAS No 65997-17-3)であることができる。たとえば、シルバー１．８質量％を含有するシルバーガラスを使用することができる。シルバーガラスを使用する場合、化粧用パフに効果的に抗菌力を与えることができる。
【００２４】
下層１の場合、シルバーガラスを０．１〜３質量％含有することができる。抗菌成分の量がとても少ない場合、十分な抗菌力を発揮することができず、多すぎる場合、他の物性が低下するおそれがある。たとえば、下層１の場合、原材料８０質量％及び抗菌マスターバッチ２０質量％で製造されることができ、このとき、抗菌マスターバッチは原材料９０質量％及びシルバーガラス１０質量％で製造されることができ、シルバーガラスはシルバーを１．８質量％含有することができる。また他の形態として、下層１の場合、原材料９９質量％及びシルバーガラス１質量％で製造されることができ、このとき、シルバーガラスはシルバーを１．８質量％含有することができる。前述した含有量の範囲内で、黄色ブドウ球菌に対して９９．９６％以上の抗菌力と、大腸菌に対して９９．３６％以上の抗菌力を確保することができる。
【００２５】
前記バリアー層２は、化粧用内容物が中間層４に吸引されないように防水膜構造で構成されているので、化粧用内容物の浪費を減少させることができる。前記バリアー層２の厚さは０．０１〜０．１ｍｍであることができ、このような厚さ範囲内で化粧材料が中間層４に吸引されないようにする機能を円滑に発揮することができる。
【００２６】
前記バリアー層２は、化粧材料が吸引されないように防水膜を形成するように接着剤を適用することができる。たとえば、バリアー層２は防水接着剤を利用して形成することができる。防水接着剤としては、シリコン系、ウレタン系、エポキシ系、ラテックス系(SBRラテックスなど)防水接着剤などを使用することができる。
【００２７】
望ましくは、エポキシ樹脂及びアミン系硬化剤を含むエポキシ系の防水接着剤の組成物を使用することができる。エポキシ樹脂としては、メタキシリレンジアミン（META-XYLYLENEDIAMINE）から誘導されたグリシジルアミノ基を有するエポキシ樹脂、1,3-ビス(アミノメチル)シクロヘキサンから誘導されたグリシジルアミノ基を有するエポキシ樹脂、ジアミノジフェニルメタンから誘導されたグリシジルアミノ基を有するエポキシ樹脂、ｐ−アミノフェノールから誘導されたグリシジルアミノ基及び/またはグリシジルオキシ基を有するエポキシ樹脂、ビスフェノールＡから誘導されたグリシジルオキシ基を有するエポキシ樹脂、ビスフェノールＦから誘導されたグリシジルオキシ基を有するエポキシ樹脂、フェノールノボラックから誘導されたグリシジルオキシ基を有するエポキシ樹脂及びレゾルシノールから誘導されたグリシジルオキシ基を有するエポキシ樹脂から選択される少なくとも１種の樹脂であることができ、望ましくはメタキシリレンジアミン（META-XYLYLENEDIAMINE）から誘導されたグリシジルアミノ基を有するエポキシ樹脂を使用することができる。
【００２８】
アミン系硬化剤としては、(A)メタキシリレンジアミン（META-XYLYLENEDIAMINE）またはp-キシリレンジアミン、(B)ポリアミンとの反応によりアミド基部位を形成し、またオリゴマーを形成することができる、少なくとも１個のアシル基を有する多官能性化合物(例えば、アクリル酸、メタクリル酸及び/またはこれらの誘導体など)、(C)炭素数１〜８である１価カルボン酸及び/またはその誘導体(例えば、ギ酸、酢酸、プロピオン酸、酪酸、乳酸、グリコール酸、安息香酸及び/またはその誘導体など)、(D)ポリアミンとの反応によりカルバミン酸塩部位を形成するカーボネート部位を少なくとも１個有する官能性化合物(例えば、エチレンカーボネート及び/またはプロピレンカーボネートなど)の中で、(A)+(B)+(D)の反応生成物または(A)+(B)+(C)+(D)の反応生成物でなることができる。例えば、アミン系硬化剤は(A)メタキシリレンジアミン（META-XYLYLENEDIAMINE）、(B)アクリル酸、メタクリル酸及び/またはそれらの誘導体、(D)エチレンカーボネート、プロピレンカーボネートまたはトリメチレンカーボネートの反応生成物であることができる。(A):(B):(D)の反応モル比は1:0.7〜0.95:0.1〜0.7であることができる。
【００２９】
エポキシ樹脂及びアミン系硬化剤の配合比率は、エポキシ樹脂のエポキシ基に対するアミン系硬化剤の活性水素の当量比(活性水素/エポキシ基)として０．５〜５．０であることができる。エポキシ系防水接着剤組成物を硬化させて得られる硬化物の酸素透過係数は１．０ｍｌ・ｍｍ/ｍ2・ｄａｙ・ＭＰａ(２３℃、６０％ＲＨ)以下であることができる。
【００３０】
前記第１接着層３は、接着剤を使用してバリアー層２と中間層４が動かないように固定する役割をする。第１接着層３は通常の接着剤、例えばアクリル系、ウレタン系、エポキシ系接着剤などを利用して形成することができ、またバリアー層２と同一な接着剤を利用して形成することができる。
【００３１】
前記中間層４はクッション層であって、空気を含んで皮膚にやわらかく密着されるようにする役割をする。中間層４は、アクリロニトリル−ブタジエンゴム(NBR)、スチレン・ブタジエンゴム(SBR)、天然ゴム(NR)、ポリ塩化ビニル、ポリエチレン、エチレンビニルアセタートゴム(EVA)、ラテックス、シリコーン、スチレンイソプレンスチレン(SIS)、スチレンエチレンブチレンスチレン(SEBS)、ポリビニルアルコール(PVA)、ニトリルゴム、ブチルゴム、クロロプレンゴム(CR)、ウレタンフォーム(PU)からなる群で選択されるひとつ以上で製造されたフォームを含むことができる。本発明の他の一側面で、シリコーンフォームはシリコン系エラストマーで製造したフォームを含むことができる。中間層４の材質はオープンセル構造である発泡フォームに限らなく、多様に変更することができる。
【００３２】
前記第２接着層５は、接着剤を使用して中間層４と上層６が動かないように固定する役割をする。第２接着層５は、通常の接着剤、例えばアクリル系、ウレタン系、エポキシ系接着剤などを利用して形成することができ、また第１接着層３やバリアー層２と同一な接着剤を利用して形成することができる。
【００３３】
前記上層６は、パフの形態を維持し、リボンを固定する役割をする。前記上層６は、ウレタンフォームなどで構成されることができる。
【００３４】
本発明の抗菌化粧品のパフの製造方法は、化粧材料と接触する下層１を備える段階と、前記下層１の上部にバリアー層２を形成する段階と、前記バリアー層２の上部に第１接着層３を形成する段階と、前記第１接着層３により前記バリアー層２の上部に中間層４を付着する段階と、前記中間層４の上部に第２接着層５を形成する段階と、前記第２接着層５により前記中間層４の上部に上層６を付着する段階を含むことができる。ここで、前記バリアー層２は内容物が通過しないように防水膜構造でなり、前記下層１はシルバーガラス抗菌成分を含む構造とすることができる。
【００３５】
表１は、Water immersion processing[Classification 1]によるパフ抗菌試験結果を示すものであり、表２は、Light exposure processing[Classification 1]によるパフの抗菌試験結果を示すものである。図４は、シルバーガラス抗菌物質を含まない無処理パフ及びシルバーガラス抗菌物質を含んだ抗菌パフの電子顕微鏡写真である。抗菌試験方法は、Test method(Version in fiscal year 2012) shake methodに基づいて行った。
【００３６】
【表１】
2018015566.tif 000003
【００３７】
【表２】
2018015566.tif 000004
【００３８】
表３は、抗菌処理されたサンプルを中性洗剤で20回洗浄した後及び摩擦洗浄(ごしごしと洗う)した後についての抗菌試験結果を比較したものである。図５は、大腸菌に対して抗菌処理及び無処理サンプルの抗菌試験結果を示した写真であり、左側は無処理サンプル(control)であり、中は中性洗剤で20回洗浄したサンプルであり、右側は摩擦洗浄サンプルである。
【００３９】
【表３】
2018015566.tif 000005
【００４０】
以上で説明した本発明による化粧用の抗菌パフは、前記した実施形態に限らなく、以下の請求範囲で請求する技術の要旨を逸脱することはないで、該当技術分野の通常の知識を有する者であれば、誰でも変更して実施することができる範囲までその技術的な精神がある。
【符号の説明】
【００４１】
１  下層
２  バリアー層
３  第１接着層
４  中間層
５  第２接着層
６  上層
【図１】
2018015566.tif 000006
【図２】
2018015566.tif 000007
【図３】
2018015566.tif 000008
【図４】
2018015566.tif 000009
【図５】
2018015566.tif 000010